(57)【要約】【課題】簡易な構造を有しつつ、漏水試験の結果を目視容易に表示する漏水試験装置を提供する。【解決手段】漏水試験装置１００は、貯水した検査対象物における水位の経時的変化を測定することにより、検査対象物の漏水を検査する。漏水試験装置は、検査対象物に取着される支持体１１０と、支持体１１０に上下方向に可動式に支持された可動体１２０と、を備える。可動体１２０は、検査対象物内で水面又は水中に浮揚した状態で配置され、水位の変化に応じて上下動するフロート部１２１と、フロート部１２１から上方に延び出る延設部１２２と、支持体１１０が検査対象物に取着された状態で、水面よりも高い位置で延設部１２２に形成され、支持体１１０に対する可動体１２０の相対的な位置変化を表示する水位表示部１２３と、を備える【選択図】図１
2018159566.tif 000002
【特許請求の範囲】
【請求項１】
貯水した検査対象物における水位の経時的変化を測定することにより、前記検査対象物の漏水を検査する漏水試験装置であって、
前記検査対象物に取着される支持体と、
前記支持体に上下方向に可動式に支持された可動体と、を備え、
前記可動体は、
前記検査対象物内で水面又は水中に浮揚した状態で配置され、水位の変化に応じて上下動するフロート部と、
前記フロート部から上方に延び出る延設部と、
前記支持体が前記検査対象物に取着された状態で、水面よりも高い位置で前記延設部に形成され、前記支持体に対する前記可動体の相対的な位置変化を表示する水位表示部と、を備えることを特徴とする漏水試験装置。
【請求項２】
前記水位表示部は、上方に開口する前記検査対象物の開口部端よりも高い位置で前記フロート部に従って上下動するように構成されていることを特徴とする請求項１に記載の漏水試験装置。
【請求項３】
前記支持体には、初期水位における前記水位表示部の前記支持体に対する相対位置を表示する基準部が設けられ、前記基準部に対する前記水位表示部の位置変化量が水位の変化量を示すことを特徴とする請求項１又は２に記載の漏水試験装置。
【請求項４】
前記支持体は、上下方向に沿って延在する立設部を備え、前記基準部は、前記立設部に沿って摺動自在に保持されている摺動体を備えることを特徴とする請求項３に記載の漏水試験装置。
【請求項５】
前記支持体は、上下方向に沿って延在する立設部を備え、前記基準部は、前記立設部に付された目印を備えることを特徴とする請求項３又は４に記載の漏水試験装置。
【請求項６】
前記立設部は、前記延設部及び前記水位表示部を内挿し、前記延設部及び前記水位表示部の上下動をガイドする中空の筒壁を備え、前記水位表示部は前記筒壁を介して外部から視認可能であることを特徴とする請求項４又は５に記載の漏水試験装置。
【請求項７】
前記検査対象物は、上方に開口する縦配管を有する配管構造であり、
前記支持体は、前記縦配管の開口部端に取着される管取着部を備え、前記管取着部は、前記縦配管の開口部周囲の内周面又は外周面に当接し、前記開口部に対する開口面の方向への移動を規制するように構成されていることを特徴とする請求項１から６のいずれか一項に記載の漏水試験装置。
【請求項８】
前記支持体は、上方に開口する前記検査対象物の開口部上に架け渡るバー材に取着されるバー材取着部を備えることを特徴とする請求項１から７のいずれか一項に記載の漏水試験装置。
【発明の詳細な説明】
【技術分野】
【０００１】
本発明は、検査対象物の漏水を検査する漏水試験装置に関する。
【背景技術】
【０００２】
従来、貯水した配管、排水系、便器、風呂、洗面器等を含む検査対象物の漏水の有無を検査するために、漏水試験装置が用いられている。
【０００３】
例えば、特許文献１は、建物の排水系配管に接続された枝管内の水位の変化を測定することによって建物の排水系配管における漏水の有無を検査するための満水試験器を開示する。以下、（）内に特許文献１の符号を示す。特許文献１の満水試験器（５）は、フロート部ガイド（６）と、フロート部（７）と、赤外線センサ（８）と、位置決め手段（１０）と、筐体（１１）とを備える。フロート部ガイド（６）は、枝管（４）と同様に円筒形状であり、満水試験器（５）が枝管（４）に設置されるときに枝管（４）内に水面下まで挿入される。フロート部（７）は、底部が半球状の円柱形状であり、満水試験器（５）が枝管（４）に設置される前にフロート部ガイド（６）内に配置され、設置後は枝管（４）内の水位の変化に応じてフロート部ガイド（６）に沿って上下に摺動する。赤外線センサ（８）は、フロート部（７）よりも上方に配置され、試験中に赤外線をフロート部（７）の反射面に反射させることによってフロート部（７）の上下方向の位置を測定する。
【先行技術文献】
【特許文献】
【０００４】
【特許文献１】特開２０１３−０５３９１３公報
【発明の概要】
【発明が解決しようとする課題】
【０００５】
しかしながら、特許文献１の満水試験器（漏水試験装置）は、赤外線センサによってフロート部を介して枝管内の水位を測定することから、その構造が複雑になることを避けられない。また、この満水試験器では、枝管内でフロート部が上下動することから、フロート部の状態が外部に露出されない。それ故、ユーザーは、外部からフロート部の位置変化の有無を目視で確認することが困難であり、漏水試験の結果を一見して知ることができない。
【０００６】
本発明の目的は、簡易な構造を有しつつ、漏水試験の結果を目視容易に表示する漏水試験装置を提供することにある。
【課題を解決するための手段】
【０００７】
請求項１に記載の漏水試験装置は、貯水した検査対象物における水位の経時的変化を測定することにより、前記検査対象物の漏水を検査する漏水試験装置であって、
前記検査対象物に取着される支持体と、
前記支持体に上下方向に可動式に支持された可動体と、を備え、
前記可動体は、
前記検査対象物内で水面又は水中に浮揚した状態で配置され、水位の変化に応じて上下動するフロート部と、
前記フロート部から上方に延び出る延設部と、
前記支持体が前記検査対象物に取着された状態で、水面よりも高い位置で前記延設部に形成され、前記支持体に対する前記可動体の相対的な位置変化を表示する水位表示部と、を備えることを特徴とする。
【０００８】
請求項２に記載の漏水試験装置は、請求項１に記載の漏水試験装置において、前記水位表示部は、上方に開口する前記検査対象物の開口部端よりも高い位置で前記フロート部に従って上下動するように構成されていることを特徴とする。
【０００９】
請求項３に記載の漏水試験装置は、請求項１又は２に記載の漏水試験装置において、前記支持体には、初期水位における前記水位表示部の前記支持体に対する相対位置を表示する基準部が設けられ、前記基準部に対する前記水位表示部の位置変化量が水位の変化量を示すことを特徴とする。
【００１０】
請求項４に記載の漏水試験装置は、請求項３に記載の漏水試験装置において、前記支持体は、上下方向に沿って延在する立設部を備え、前記基準部は、前記立設部に沿って摺動自在に保持されている摺動体を備えることを特徴とする。
【００１１】
請求項５に記載の漏水試験装置は、請求項３又は４に記載の漏水試験装置において、前記支持体は、上下方向に沿って延在する立設部を備え、前記基準部は、前記立設部に付された目印を備えることを特徴とする。
【００１２】
請求項６に記載の漏水試験装置は、請求項４又は５に記載の漏水試験装置において、前記立設部は、前記延設部及び前記水位表示部を内挿し、前記延設部及び前記水位表示部の上下動をガイドする中空の筒壁を備え、前記水位表示部は前記筒壁を介して外部から視認可能であることを特徴とする。
【００１３】
請求項７に記載の漏水試験装置は、請求項１から６のいずれか一項に記載の漏水試験装置において、前記検査対象物は、上方に開口する縦配管を有する配管構造であり、
前記支持体は、前記縦配管の開口部端に取着される管取着部を備え、前記管取着部は、前記縦配管の開口部周囲の内周面又は外周面に当接し、前記開口部に対する開口面の方向への移動を規制するように構成されていることを特徴とする。
【００１４】
請求項８に記載の漏水試験装置は、請求項１から７のいずれか一項に記載の漏水試験装置において、前記支持体は、上方に開口する前記検査対象物の開口部上に架け渡るバー材に取着されるバー材取着部を備えることを特徴とする。
【発明の効果】
【００１５】
請求項１に記載の漏水試験装置によれば、支持体は検査対象物に対して静止するように取着され、一方で、可動体は支持体及び検査対象物に対して上下方向に相対移動可能である。また、可動体は、少なくとも水位よりも高い位置で、フロート部から上方に延び出る延設部に形成された水位表示部を備える。そして、支持体が検査対象物に取着された状態で、水位表示部が支持体に対する可動体の相対的な位置変化を表示することによって、検査対象物における経時による水位変化を測定することができる。すなわち、水面又は水中に浮揚するフロート部から上方に離れた位置で、水位表示部が支持体との位置関係を外部に表示することから、ユーザーが外部からフロート部の位置変化の有無を目視によって把握することが容易となった。したがって、本発明の漏水試験装置は、簡易な構造を有しつつ、漏水試験の結果を目視容易に表示するものである。
【００１６】
請求項２に記載の漏水試験装置によれば、請求項１の発明の効果に加えて、水位表示部が上方に開口する検査対象物の開口部端よりも高い位置に配置されることにより、より一層、ユーザーが外部からフロート部の位置変化の有無を目視によって把握することが容易である。
【００１７】
請求項３に記載の漏水試験装置によれば、請求項１又は２の発明の効果に加えて、基準部が初期水位における水位表示部の支持体に対する相対位置を表示することにより、経時後に、ユーザーが該基準部と水位表示部とを見比べることにより、フロート部の位置変化の有無及び水位変化量を目視によって把握することが容易である。
【００１８】
請求項４に記載の漏水試験装置によれば、請求項３の発明の効果に加えて、上下に延在する立設部に沿って摺動体を摺動させることにより、初期水位における水位表示部の位置に応じて基準部の位置を変更可能である。これにより、水位表示部と基準部とを見比べて、水位表示部の基準部に対する相対的な上下方向の位置変化を容易に把握することが可能となる。
【００１９】
請求項５に記載の漏水試験装置によれば、請求項３又は４の発明の効果に加えて、上下に延在する立設部に付された目印を参照して、水位表示部の相対的な上下方向の位置変化を容易に把握することが可能となる。
【００２０】
請求項６に記載の漏水試験装置によれば、請求項４又は５の発明の効果に加えて、中空筒壁によって可動体の上下動がガイドされることにより、水位変化に応じた可動体の動作が安定する。
【００２１】
請求項７に記載の漏水試験装置によれば、請求項１から６のいずれかの発明の効果に加えて、管取着部を介して支持体を縦配管の開口部端に取着することにより、支持体の開口部に対する開口面の方向への移動を規制し、位置ずれを防止することができる。
【００２２】
請求項８に記載の漏水試験装置によれば、請求項１から７のいずれかの発明の効果に加えて、バー材取着部を介して支持体を検査対象物の開口部上に架け渡るバー材に取着することができる。
【図面の簡単な説明】
【００２３】
【図１】本発明の一実施形態の漏水試験装置の（ａ）正面から見た概略斜視図及び（ｂ）背面から見た概略斜視図。
【図２】図１の漏水試験装置の（ａ）平面図、（ｂ）正面図、（ｃ）底面図、及び（ｄ）側面図。
【図３】図２の漏水試験装置のＡ−Ａ断面図。
【図４】図２の漏水試験装置のＢ−Ｂ断面図。
【図５】図２の漏水試験装置のＣ−Ｃ断面図。
【図６】本発明の一実施形態の漏水試験装置を設置した縦配管を示す概略斜視図。
【図７】図６の縦配管の正面図。
【図８】図７の縦配管のＤ−Ｄ断面図であり、漏水試験開始時の状態を示す。
【図９】図７の縦配管において、経時後、漏水試験装置で漏水が検出された状態の断面図。
【図１０】本発明の一実施形態の漏水試験装置を設置した便器を示す概略斜視図。
【図１１】図９の便器の断面図であり、漏水試験開始時の状態を示す。
【図１２】図１０の便器において、経時後、漏水試験装置で漏水が検出された状態の断面図。
【図１３】本発明の漏水試験装置の変形例を示す概略図。
【図１４】本発明の漏水試験装置の変形例を示す概略図。
【発明を実施するための形態】
【００２４】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２５】
本実施形態の漏水試験装置１００は、貯水した配管、排水系、便器、風呂、洗面器等を含む検査対象物に取着され、その水位の経時的変化を測定することにより、該検査対象物の漏水の有無を試験するものである。本実施形態では、検査対象物を排水系（又はその縦配管）及び便器として例示的に説明する。以下、図１乃至図４を参照して、本発明の一実施形態の漏水試験装置１００の構成を詳細に説明する。
【００２６】
図１（ａ），（ｂ）は、漏水試験装置１００の正面及び背面からの概略斜視図である。図２（ａ）〜（ｄ）は、漏水試験装置１００の平面図、正面図、底面図及び側面図である。図３，４，５は、漏水試験装置１００のＡ−Ａ断面図、Ｂ−Ｂ断面図及びＣ−Ｃ断面図である。
【００２７】
図１及び図２に示すとおり、漏水試験装置１００は、検査対象物に取着される支持体１１０と、該支持体１１０に上下方向に可動式に支持された可動体１２０と、を備える。支持体１１０及び可動体１２０は、別体からなり、互いに相対移動可能な関係にある。
【００２８】
該支持体１１０は、検査対象物に対して静止した状態で配置されるとともに、該検査対象物に対して相対移動可能に可動体１２０を支持するように構成されている。そして、支持体１１０は、水平方向に延在する基部１１１と、該基部１１１上面の略中央から立設し、上下（垂直）方向に沿って延在する立設部１１２とを備える。
【００２９】
基部１１１は、平面視略矩形状の平板として形成されている。そして、該基部１１１は、検査対象物の開口部上に配置されるように構成されている。立設部１１２は、所定の長さで上下に延在する断面視半円形状の中空の筒壁１１３と、該筒壁１１３の下端に形成された底壁１１４とからなる。該筒壁１１３は、正面及び両側面側に平面部を有し、背面側に曲面部を有する。筒壁１１３の正面側の平面部は、両側方にフランジ状に張り出している。また、該筒壁１１３は、可動体１２０の一部（延設部１２２及び水位表示部１２３）を収容可能な断面積を有している。そして、筒壁１１３は、透明又は半透明な合成樹脂で形成されており、可動体１２０を外部から視認可能に内包している。さらに、筒壁１１３の正面側平面部の上端には、幅方向に延びる突壁１１３ａが突出形成されている。図３及び図４に示すように、該筒壁１１３の上端は開放されており、下端の底壁１１４の略中央には、貫通孔１１４ａが穿設されている。
【００３０】
筒壁１１３には、立設部１１２に沿って摺動自在に摺動体１１５が保持されている。つまり、摺動体１１５は、立設部１１２の筒壁１１３に上下方向にスライド式に外挿されているとともに、重力で自由落下しないようにその場に維持（静止）されている。この摺動体１１５は、初期水位（初期段階又は満水状態の水位）における可動体１２０（水位表示部１２３）の支持体１１０に対する相対位置を表示する基準部として機能する。後述するとおり、基準部に対する水位表示部１２３の位置変化量が水位の変化量を示す。具体的には、図５に示すように、摺動体１１５は、筒壁１１３の外周形状に対応する形状を有する環状体である。また、該摺動体１１５の内周面には、上下方向に延びる複数（４つ）の突条１１５ａが設けられている。これら複数の突条１１５ａが筒壁１１３内周面と当接することにより、摺動体１１５及び筒壁１１３間に摩擦力が生じる。この摩擦力によって摺動体１１５が筒壁１１３の所定の高さにスライド可能に保持されている。そして、摺動体１１５の前面には、略半円形状の窓１１６が切り欠き形成されている。該窓１１６を介して、筒壁１１３の内側を視認することが可能である。
【００３１】
基部１１１の下面には、検査対象物の一部である縦配管Ｐ（図６参照）の開口部端に取着される管取着部１１７が設けられている。管取着部１１７は、縦配管の開口部周囲の内周面又は外周面に当接し、開口部に対する開口面の方向への移動を規制するように構成されている。具体的には、該管取着部１１７は、管径に対応する距離で隔てられて対向する円弧壁からなる。本実施形態では、管取着部１１７は、複数の管径に対応するように複数対の円弧壁で構成されている。
【００３２】
基部１１１の立設部１１２の背後には、上方に開口する検査対象物である便器Ｔ（図１０参照）の開口部上に架け渡るバー材Ｓに取着されるバー材取着部１１８が設けられている。バー材取着部１１８は、基部１１１の後端縁から後方に延在する下壁部１１８ａと、基部１１１の後端縁から上方に略直角に立設してから後方に折れ曲がって延在する上壁部１１８ｂとを備える。また、上壁部１１８ｂには、固定用のビス孔１１８ｃが形成されている。後述するとおり、バー材Ｓが下壁部１１８ａ及び上壁部１１８ｂの間に支持又は固定される。
【００３３】
なお、本実施形態では、支持体１１０は、摺動体１１５を除いて、透明又は半透明な合成樹脂からなり、基部１１１に対して筒壁１１３、底壁１１４、管取着部１１７及びバー材取着部１１８が一体的に形成されている。しかしながら、これらは別体として組み立てられてもよい。すなわち、本発明は、当該実施形態に限定されることなく、種々の形態を取り得ることは言うまでも無い。
【００３４】
可動体１２０は、図３及び図４に示すように、検査対象物内で水面又は水中に浮揚した状態で配置され、水位の変化に応じて上下動するフロート部１２１と、該フロート部１２１から上方に延び出る延設部１２２と、該延設部１２２に形成され、基部１１１の上方で水位を表示するための水位表示部１２３とを備える。延設部１１２の一部と水位表示部１２３とが立壁部１１２の筒壁１１３内に配置される一方で、フロート部１２１が基部１１１の下方に配置されている。そして、可動体１２０は支持体１１０及び検査対象物に対して上下方向に相対移動可能である。
【００３５】
フロート部１２１は、球形状の所謂「浮き」であり、水中で浮力を生じ、水面又は水中に浮揚するように構成されている。すなわち、フロート部１２１は、水の比重よりも軽量な材料で形成されるか、あるいは、中空球体として形成され得る。また、フロート部１２１の径は、立設部１１２の底壁１１４の貫通孔１１４ａの径よりも大きいことから、フロート部１２１は該貫通孔１１４ａを通って筒壁１１３内に移動することができない。
【００３６】
延設部１２２は、上下に延びる細長い軸体として形成された。延設部１２２の下端が、フロート部１２１外面に一体的に結合されている。延設部１２２の長さは、基部１１１（又は検査対象物の開口部）から検査対象物の水面までの距離よりも少なくとも大きくなるように定められている。また、延設部１２２の径は、立設部１１２の底壁１１４の貫通孔１１４ａの径よりも小さい。そして、延設部１２２は、該貫通孔１１４ａを貫通し、筒壁１１３内を上下方向に移動可能に配置されている。
【００３７】
水位表示部１２３は、支持体１１０が検査対象物に取着された状態で、水面よりも高い位置で延設部１２２に形成され、水位変化を表示すべく、支持体１１０に対する可動体１２０の相対的な位置変化を表示するように構成されている。具体的には、水位表示部１２３は、延設部１２２の上端部分に拡径部１２４を介して形成され、筒壁１１３内に配置されている。また、水位表示部１２３は、延設部１２２の径方向に拡がったカップ部分として形成されている。該カップ部分は、正面視において窓１１６の形状に対応する形状を有している。そして、該水位表示部１２３（又は拡径部１２４）は、貫通孔１１４ａの径よりも大きく拡径していることにより、底壁１１４に係止されて基部１１１の下方に移動することが規制されている。つまり、水位表示部１２３の移動は、立設部１１２内部に制限されている。また、該水位表示部１２３は、水面に浮揚するフロート部１２１の動きに従って、基部１１１（検査対象物の開口部）の上方で筒壁１１３内部を上下方向に沿って移動可能である。すなわち、水位表示部１２３は、検査対象物の開口部端の上方で視認容易な位置で移動するように構成されている。さらに、水位表示部１２３及び延設部１２２の軸方向の移動は、それを囲む筒壁１１３によってガイドされることから、該漏水試験装置１００は安定的に上下方向に動作する。
【００３８】
なお、本実施形態では、可動体１２０は、筒壁１１３の外側から視認可能であるように、着色された合成樹脂材料で形成される。そして、フロート部１２１及び延設部１２２が一体的に形成され、水位表示部１２３が延設部１２２先端に接着されている。しかしながら、本発明は、当該実施形態に限定されることなく、種々の形態を取り得ることは言うまでも無い。
【００３９】
続いて、図６乃至図９を参照して、検査対象物として縦配管Ｐを有する排水系に対して本実施形態の漏水試験装置１００を用いて漏水試験を実施する方法を説明する。一般に、このような漏水試験は、満水試験とも呼ばれ、排水系の内部を所定の水圧で満水にした状態で、上方に開口する縦配管Ｐの経時水位（試験時間経過後の水位）を測定することによって、漏水の有無が検出される。
【００４０】
図６及び図７に示すとおり、本実施形態の漏水試験装置１００が排水系の縦配管Ｐに取り付けられて、漏水試験が行われる。縦配管Ｐは、上方に開口した開口部を有し、該開口部の端縁に漏水試験装置１００の支持体１１０が載置される。支持体１１０の基部１１１が縦配管Ｐの開口部上に架け渡った状態で、支持体１１０が管取着部１１７によって縦配管Ｐに取り付けられている。特には、管取着部１１７の対向する円弧壁が、縦配管Ｐの開口部周囲の内周面又は外周面に当接（又は係合）し、開口部に対する開口面の方向への移動を規制している。このように、支持体１１０が縦配管Ｐに対して静止するように取着される。
【００４１】
図８に示すとおり、検査対象物である排水系が満水となり、縦配管Ｐの水面は初期水位Ｌ１を有する。そして、フロート部１２１の一部が水中に浸かった状態で水面に浮揚している。フロート部１２１が接続された延設部１２２は、基部１１１（及び縦配管Ｐの開口部端）の上方に延び出ており、その上端で水位表示部１２３が筒壁１１３内部の所定高さに配置されている。つまり、水位表示部１２３は、縦配管Ｐの開口部よりも上方で外部から視認容易な位置にある。そして、摺動体１１５の窓１１６と水位表示部１２３のカップ部分が合致するように、ユーザーによって摺動体１１５がスライド移動される。位置合わせ後、摺動体１１５は、水位表示部１２３の初期水位Ｌ１に対応する基準位置を示す。該摺動体１１５は、初期水位Ｌ１における水位表示部１２３の支持体１１０に対する相対位置を表示する基準部として機能する。
【００４２】
検査対象物である排水系に漏水箇所が存在した場合、試験時間（例えば、数時間〜数十時間）経過後、縦配管Ｐ内の水位が低下する。図９に示すとおり、経時後の縦配管Ｐ内の水面は経時水位Ｌ２を有する。同様に、フロート部１２１の一部が水中に浸かった状態で水面に浮揚していることから、フロート部１２１は水位変動に従って縦配管Ｐ開口部に対して下方に相対移動している。フロート部１２１が接続された延設部１２２は、基部１１１（及び縦配管Ｐの開口部）の上方に延び出ており、その上端の水位表示部１２３が筒壁１１３内部で外部から視認容易な位置にある。特には、水位表示部１２３は、初期水位Ｌ１と経時水位Ｌ２との差分に応じた距離で筒壁１１３内部で下降している。他方、水位表示部１２３が下方に移動しても摺動体１１５はその場に保持され、基準部としての摺動体１１５が、水位表示部１２３の初期位置と同じ位置に維持されている。そして、当該摺動体１１５が目印となることで、水位表示部１２３が下降したことを一目で視認することが可能であり、結果として、排水系の漏水の有無を容易に確認することができる。すなわち、ユーザーは摺動体１１５を参照して水位表示部１２３の経時的な変位を簡単に把握可能となる。さらに、摺動体１１５の窓１１６の位置と、経時移動後の水位表示部１２３の位置とを比較し、その移動距離を測定することにより、その時間に対する移動距離に応じて、漏水の量（ｍｌ／ｈ）をも検出することができる。
【００４３】
次に、本実施形態の別使用例として、図１０及び図１１を参照して、検査対象物として便器Ｔを含む排水系に対して本実施形態の漏水試験装置１００を用いて漏水試験を実施する方法を説明する。なお、便器Ｔは、一般的に排水系に配管されており、便器Ｔ自体か排水系に漏水の有無があるか否かが試験される。
【００４４】
図１０に示すとおり、本実施形態の漏水試験装置１００が上方に開口した開口部を有する便器Ｔに取り付けられて、漏水試験が行われる。便器Ｔの開口部の端縁には、矩形断面を有するバー材Ｓが架け渡され、該バー材Ｓを介して漏水試験装置１００の支持体１１０が便器Ｔに取り付けられる。具体的には、支持体１１０のバー材取着部１１８の下壁部１１８ａと上壁部１１８ｂとの間にバー材Ｓが挟み込まれることにより、支持体１１０が便器Ｔの開口部上で支持される。任意に、バー材取着部１１８のビス孔１１８ｃにビスを螺着することにより、漏水試験装置１００を便器Ｔに固定することができる。このように、支持体１１０が便器Ｔに対して静止するように取着される。
【００４５】
図１１に示すとおり、検査対象物である便器Ｔが満水となり、便器Ｔの水面は初期水位Ｌ１を有する。そして、フロート部１２１の一部が水中に浸かった状態で水面に浮揚している。フロート部１２１が接続された延設部１２２は、基部１１１（及び便器Ｔの開口部端）の上方に延び出ており、その上端の水位表示部１２３が筒壁１１３内部の所定高さに配置されている。水位表示部１２３は、便器Ｔの開口部端の上方で外部から視認容易な位置にある。そして、摺動体１１５の窓１１６と水位表示部１２３のカップ部分が合致するように、摺動体１１５がスライド移動される。このとき、摺動体１１５は、水位表示部１２３の初期水位Ｌ１に対応する基準位置にある。
【００４６】
検査対象物である便器Ｔ及び／又はその排水系に漏水箇所が存在した場合、経時後（例えば、数時間〜数十時間経過後）、便器Ｐ内の水位が低下する。図１２に示すとおり、経時後の便器Ｔ内の水面は経時水位Ｌ２を有する。同様に、フロート部１２１の一部が水中に浸かった状態で水面に浮揚していることから、フロート部１２１は水位変動に従って便器Ｔ開口部に対して下方に相対移動している。フロート部１２１が接続された延設部１２２は、基部１１１（及び便器Ｔの開口部端）の上方に延び出ており、その上端の水位表示部１２３が筒壁１１３内部で外部から視認容易な位置にある。特には、水位表示部１２３は、初期水位Ｌ１と経時水位Ｌ２との差分に応じた距離で筒壁１１３内部で下降している。他方、上述したとおり、基準部としての摺動体１１５が、水位表示部１２３の初期位置と同じ位置に維持されている。そして、当該摺動体１１５が目印となることで、水位表示部１２３が下降したことを一目で視認することが可能である。
【００４７】
すなわち、本実施形態の漏水試験装置１００は、管取着部１１７及びバー材取着部１１８を兼ね備えていることから、様々の検査対象物に対して漏水試験を実施することが可能である。なお、ここで説明した漏水試験装置１００が取り付けられる対象は、縦配管、便器であったが、これはその一例にすぎない。本発明の漏水試験装置は、当業者が想定し得る、あらゆる種類の検査対象物に対して漏水試験を実施することを意図している。
【００４８】
以下、本発明に係る一実施形態の漏水試験装置１００の作用効果について説明する。
【００４９】
本実施形態の漏水試験装置１００によれば、支持体１１０は検査対象物（縦配管Ｐ、便器Ｔ）に対して静止するように取着され、一方で、可動体１２０は支持体１１０及び検査対象物に対して上下方向に相対移動可能である。また、可動体１２０は、検査対象物の開口部端よりも高い位置（少なくとも水位よりも高い位置）でフロート部１２１から上方に延び出る延設部１２２に形成された水位表示部１２３を備える。他方、支持体１１０に設けられた摺動体１１５の位置を、初期水位Ｌ１に対応する水位表示部１２３の位置に合わせることにより、摺動体１１５が基準部として初期水位Ｌ１における水位表示部１２３の支持体１１０に対する相対位置を表示する。経時後、基準部とともに水位表示部１２３が支持体１１０に対する可動体１２０の相対的な位置変化を表示することによって、検査対象物における水位の変化を検出又は測定することができる。すなわち、水面又は水中に浮揚するフロート部１２１から上方に離れた位置で、水位表示部１２３が摺動体１１５（基準部）との位置関係を外部に分かり易く表示することから、ユーザーが外部からフロート部１２１の位置変化の有無を目視によって把握することが容易となった。したがって、本実施形態の漏水試験装置１００は、簡易な構造を有しつつ、漏水試験の結果を目視容易に表示するものである。
【００５０】
［変形例］
本発明は、上記実施形態に限定されず、種々の変形例を取り得る。以下、本発明の変形例を説明する。なお、各変形例において、三桁で示される構成要素において下二桁が共通する構成要素は、説明がない限り、同一又は類似の特徴を有し、その説明を一部省略する。
【００５１】
（１）上記実施形態では、基準部は、筒壁にスライド可能に保持される摺動体として構成されたが、本発明はこれに限定されない。例えば、図１３（ａ），（ｂ）の漏水試験装置２００は、基準部として、立壁部２１２の筒壁２１３に刻印された目盛り又は記号（目印）２１５を備える。図１３（ａ），（ｂ）に示すように、目盛り又は記号２１５を参照することにより、水位の変化（Ｌ１→Ｌ２）に従った水位表示部２２３の位置変化を簡単に検知可能であり、且つ、その変動量を容易に測定可能である。
【００５２】
また、図１４（ａ）〜（ｂ）の漏水試験装置３００は、基準部として、立壁部３１２の筒壁３１３に形成された記録面３１５を備える。当該記録面３１５には、初期位置にある水位表示部３２３に合わせて、ユーザーが印を貼り付け又は書き込むことが可能である。例えば、図１４（ａ）では、検査対象物の初期水位Ｌ１を示す水位表示部３２３に対し、記録面３１５は空白である。次いで、図１４（ｂ）に示すように、水位表示部３２３の初期位置に合わせて記録面３１５に第１の印３１５ａをペン等で付すことにより、水位表示部３２３の初期位置が基準として記録される。そして、図１４（ｃ）に示すように、漏水箇所が存在し、経時による水位変化（水位Ｌ１→水位Ｌ２）が生じた場合、経時位置の水位表示部３２３が記録面３１５の印から降下していることが一目で分かる。さらに、水位表示部３２３の経時位置を記録面３１５に第２の印３１５ｂとして記録し、第１の印３１５ａ及び第２の印３１５ｂ間の距離を測定することにより、漏水の度合いを容易に把握することが可能である。上記実施例の基準部は、一例にすぎず、種々の形態を取り得る。また、基準部は、立設部（筒壁）と別体として構成されてもよい。さらに、複数の形態の基準部が同時に漏水試験装置に組み込まれてもよい。
【００５３】
（２）上記実施形態の漏水試験装置は、上記実施形態の形態に限定されない。例えば、上記実施形態では、立設体が透明な筒壁からなるが、外部から内部を視認可能であるように、枠体状であってもよい。あるいは、立設体や基準部が省略されてもよく、その場合、延設部及び水位表示部が外部に直接露出し、延設部と基部との位置関係により漏水の有無が把握され得る。さらに、漏水試験装置の各部材の形状は、上記実施形態に限定されず、任意に定められる。例えば、水位表示部は、上記実施形態のようにカップ状のものでなく、外部から目視で確認可能であれば、如何なる形状であってもよい。水位表示部の別例として、軸体にマークを付したものなどが挙げられる。また、延設部は、軸形状でなくてもよく、水位表示部を上方で保持可能であれば、如何なる形状であってもよい。例えば、延設部は、細板などであってもよい。すなわち、本発明の技術的範囲に含まれる限り、その形状寸法が当業者によって適宜修正され得ることは言うまでもない。
【００５４】
本発明は上述した実施形態や変形例に限定されるものではなく、本発明の技術的範囲に属する限りにおいて種々の態様で実施しうるものである。
【符号の説明】
【００５５】
１００      漏水試験装置
１１０      支持体
１１１      基部
１１２      立設部
１１３      筒壁
１１４      底壁
１１４ａ    貫通孔
１１５      摺動体（基準部）
１１６      窓
１１７      管取着部
１１８      バー材取着部
１２０      可動体
１２１      フロート部
１２２      延設部
１２３      水位表示部
１２４      拡径部
Ｐ          縦配管（検査対象物の一部）
Ｔ          便器（検査対象物の一部）
Ｓ          バー材
Ｌ１        初期水位
Ｌ２        経時水位
【図１】
2018159566.tif 000003
【図２】
2018159566.tif 000004
【図３】
2018159566.tif 000005
【図４】
2018159566.tif 000006
【図５】
2018159566.tif 000007
【図６】
2018159566.tif 000008
【図７】
2018159566.tif 000009
【図８】
2018159566.tif 000010
【図９】
2018159566.tif 000011
【図１０】
2018159566.tif 000012
【図１１】
2018159566.tif 000013
【図１２】
2018159566.tif 000014
【図１３】
2018159566.tif 000015
【図１４】
2018159566.tif 000016